(57)【要約】  擬人化試験装置は腹部コンポーネント、ベース部材及び該ベース部材に連結され且つ該ベース部材から延びる弾性フランジを含む。ベース部材は互いに反対にある内面及び外面と、周縁部とを有し、内面は第１の空洞を画定する。弾性フランジは互いが反対にあるフランジ内面及び外面と、接続するフランジ周縁面とを有し、フランジ内面は第２の空洞を画定し、該第２の空洞は第１の空洞から延び且つ第１の空洞に対して開いている。腹部コンポーネントは、腹部コンポーネントの外面の第１の部分がベース部材の内面に係合し、腹部コンポーネントの外面の第２の部分が弾性フランジにより弾性的に保持されるように第１及び第２の空洞に少なくとも部分的に収容され且つ骨盤及び弾性フランジに連結される。
2022500666.tif 000002
【特許請求の範囲】
【請求項１】
ベース内面及び反対側のベースの外面を有し、該ベース内面が第１の空洞を画定するベース部材と、
前記ベース部材に連結されて前記ベース部材から延びる弾性のフランジであって、該弾性フランジはフランジ内面、反対側のフランジ外面及びフランジ周縁部を有し、該フランジは第２の空洞を画定し、該第２の空洞は前記第１の空洞から延び且つ前記第１の空洞に対して開いている、弾性フランジと、
第１の幅を画定する第１の部分と、該第１の幅よりも大きい第２の幅を画定する第２の部分とを有する腹部コンポーネントであって、該第１の部分は前記第１の空洞内に収容され、該第２の部分は前記第２の空洞内に収容され、前記弾性フランジは該腹部コンポーネントの第２の部分と直接係合して、前記ベース部材に対して該腹部コンポーネントを弾性的に保持する、腹部コンポーネントと、
を含む擬人化試験装置。
【請求項２】
前記腹部コンポーネントの第２の部分が前記第２の空洞内に収容される前に画定される前記フランジの最大幅は前記第２の幅よりも小さい、請求項１に記載の擬人化試験装置。
【請求項３】
前記フランジの最大幅は前記第１の幅よりも大きい、請求項１に記載の擬人化試験装置。
【請求項４】
前記弾性フランジの周縁部は開口を画定し、前記腹部コンポーネントが前記ベース部材及び前記弾性フランジに連結されている場合に、該開口を介して前記第１の空洞及び前記第２の空洞内に少なくとも部分的に受容されている、請求項１に記載の擬人化試験装置。
【請求項５】
前記腹部コンポーネントは中空状で且つ内部空洞を画定し、前記腹部コンポーネントは該内部空洞内に配置される第１の支持部材を含む、請求項１に記載の擬人化試験装置。
【請求項６】
前記ベース部材は、前記第１の空洞内に配置される第２の支持部材を含み、該第２の支持部材は、前記腹部コンポーネントが前記ベース部材に連結されている場合に前記第１の支持部材に隣接して配置されている、請求項５に記載の擬人化試験装置。
【請求項７】
前記ベース部材は、第１の表皮で覆われたインナーコア発泡体を含み、前記弾性フランジは第２の表皮を含み、該第２の表皮は該第１の表皮に連結され且つ該第１の表皮から延びる、請求項１に記載の擬人化試験装置。
【請求項８】
前記第２の表皮は前記第１の表皮と一体形成され且つ前記第１の表皮から延びる、請求項７に記載の擬人化試験装置。
【請求項９】
前記第２の表皮の厚さは３〜５ｍｍの範囲である、請求項７に記載の擬人化試験装置。
【請求項１０】
前記第２の表皮はループ構造を画定し、該ループ構造は外側ループ部、内側ループ部及び該外側ループ部と該内側ループ部とを接続する遷移ループ部を含み、該外側ループ部及び該内側ループ部のそれぞれは、前記第１の表皮に別々に連結され且つ前記第１の表皮から延びる、請求項７に記載の擬人化試験装置。
【請求項１１】
前記第２の表皮は前記ループ構造内にループ空洞を画定し、前記第１の表皮は該ループ空洞とオープン連通する発泡体収容空洞を画定し、前記インナーフォーム発泡体の全体が該発泡体収容空洞内に収容される、請求項１０に記載の擬人化試験装置。
【請求項１２】
前記ベース部材から延びる前記弾性フランジの長さは、前記第１の部分から延びる前記第２の部分の対応する高さと等しい、請求項１に記載の擬人化試験装置。
【請求項１３】
前記腹部コンポーネントの第１の部分の底部は１つ以上の突出領域を含み、前記ベース内面は１つ以上の表面凹部を画定し、該１つ以上の突出領域のうちの１つは、前記腹部コンポーネントが前記ベース部材に連結されている場合に前記１つ以上の表面凹部のうちの対応する１つ内で固定される、請求項１に記載の擬人化試験装置。
【請求項１４】
前記ベース部材は、前記上部を前記第２の部分に接続する横方向に延びる切り欠きをさらに含み、前記腹部コンポーネントが前記ベース部材及び前記弾性フランジに連結されている場合、前記フランジの周縁部は該切り欠きと当接する、請求項１に記載の擬人化試験装置。
【請求項１５】
第１の空洞を画定するベース内面を有するベース部材と、第１の幅を画定する第１の部分及び該第１の幅よりも大きい第２の幅を画定する第２の部分を有する腹部コンポーネントとを含む擬人化試験装置の一部を形成する方法であって、当該方法は、
弾性フランジを前記ベース部材に連結するステップであって、該弾性フランジはフランジ内面、反対側のフランジ外面及びフラン外縁面を有し、該フランジは第２の空洞を画定し、該第２の空洞は前記第１の空洞から延び且つ前記第１の空洞に対して開いている、ステップと、
前記腹部コンポーネントが前記第１の空洞及び前記第２の空洞内で部分的に収容され、前記腹部コンポーネントの第１の部分の外面が前記ベース内面と係合し、前記腹部コンポーネントの第２の部分の外面が前記弾性フランジにより弾性的に保持されるように、前記腹部コンポーネントを前記ベース部材及び前記弾性フランジに連結するステップと、
を含む、方法。
【請求項１６】
前記フランジの最大幅は前記第２の幅よりも小さく、前記フランジの最大幅は前記第１の幅よりも大きく、前記腹部コンポーネントを前記ベース部材及び前記弾性フランジに連結するステップは、前記腹部コンポーネントを前記ベース部材及び前記弾性フランジに連結するステップの間に、前記フランジ外面に向かう方向に前記腹部コンポーネントの第２の部分から前記フランジに力を加えて、前記フランジの最大幅が前記第２の幅よりも大きい値になるように大きくすることを含む、請求項１５に記載の方法。
【請求項１７】
前記腹部コンポーネントは中空状で且つ内部空洞を画定し、前記方法は、
前記内部空洞内に第１の支持部材を配置するステップと、
前記第２の空洞内に第２の支持部材を配置するステップと、
前記腹部コンポーネントが前記ベース部材に連結されている場合に、前記第２の支持部材を前記第１の支持部材に隣接して配置するステップと、
をさらに含む、請求項１５に記載の方法。
【請求項１８】
前記腹部コンポーネントの第１の部分の底部は１つ以上の突出領域を含み、前記ベース内面は１つ以上の表面凹部を画定し、該１つ以上の突出領域のうちの１つは、前記腹部コンポーネントを前記ベース部材及び前記弾性フランジに連結するステップの間に該１つ以上の表面凹部のうちの対応する１つ内で固定される、請求項１５に記載の方法。
【請求項１９】
少なくとも１つのプロセッサを含み、該プロセッサはメモリを含む、コンピュータと、
前記メモリ上に記憶され、仮想擬人化試験装置を生成するように構成された第１のソフトウェアアプリケーションと、
含むシステムであって、
前記仮想擬人化試験装置は、
内面、反対側の外面及び該内面と該外面とを接続する縁面を有し、該内面が第１の空洞を画定する、仮想ベース部材と、
前記仮想ベース部材の前記縁面に連結され且つ前記縁面から延びる仮想弾性フランジであって、該仮想弾性フランジはフランジ内面、反対側のフランジ外面及びフランジ周縁面を含み、該仮想フランジは第２の空洞を画定し、該第２の空洞は前記第１の空洞から延び且つ前記第１の空洞に対して開いている、仮想弾性フランジと、
仮想腹部コンポーネントであって、該仮想腹部コンポーネントの外面の第１の部分及び第２の部分が前記仮想ベース部材の内面と係合し、該仮想腹部コンポーネントの外面の第２の部分が前記仮想弾性フランジにより弾性的に保持されるように、該仮想腹部コンポーネントは前記第１の空洞及び前記第２の空洞内に部分的に収容され且つ前記仮想ベース部材及び前記仮想弾性フランジに連結される、仮想腹部コンポーネントと、
を含む、システム。
【請求項２０】
前記ソフトウェアアプリケーションは、生成された前記仮想擬人化試験装置に対して仮想衝突シミュレーションを実施するようにさらに構成されている、請求項１９に記載のシステム。
【発明の詳細な説明】
【技術分野】
【０００１】
関連出願の相互参照
本開示は、２０１８年９月２１日に出願された米国仮出願第６２/７３４５８２号の優先権を主張する。該米国仮出願の全体は参照により本願に組み込まれる。
【０００２】
本開示は概して擬人化試験装置（anthropomorphic  test  device）に関し、より具体的には擬人化試験装置の腹部肉質（abdomen  flesh）のための連結デザインに関する。
【背景技術】
【０００３】
自動車、航空機及び他の車両製造業者は、車両及びその乗員に対する衝突の影響を測定するために多種多様な衝突試験を行う。衝突試験（場合によってはクラッシュテストとも呼ばれる）を通して、車両の製造業者は車両を改善するのに用いることができる貴重な情報を得る。
【０００４】
衝突試験は、しばしば人体の損傷リスクを推定するために、擬人化試験装置（場合によっては代替的に擬人化マネキンと呼ばれ、「衝突実験用ダミー人形（crash  test  dummies）」としてよりよく知られている）の使用を多くの場合伴う。通常、衝突実験用ダミー人形はヘッドアセンブリ、スパインアセンブリ、リブケージアセンブリ、骨盤アセンブリ、右腕アセンブリ、左腕アセンブリ、右脚アセンブリ及び左脚アセンブリを含む。ジョイントは、様々なアセンブリを一緒に連結し、人間の関節可動域をシミュレートする関節を可能にするために設けられる。加えて、これらのアセンブリは表皮（skin）で覆われた内側発泡体材料を含む模擬肉質で通常覆われる。擬人化試験装置は、対象となる人間の一般的な力学特性、塊、関節及び関節の硬さを有していなければならない。加えて、擬人化試験装置は、衝突試験中に人のように車内と相互作用するのに十分な機械的衝撃応答を有していなければならない。
【０００５】
これらの装置において、肉質は、組み立て／分解及び取扱いを容易にするためにジョイントで分かれている場合が多い。しかしながら、肉質が分かれていることで組み立てや取り扱いは容易になるが、衝突試験中に非人間的な応答を引き起こす。例えば、特定のデザインでは、腹部コンポーネントとベース部材（例えば、骨盤部材）の肉質との間で分離の問題が存在する。衝突試験の間、腹部及び骨盤に対応する腹部コンポーネント及びベース部材との間の肉質で大きなズレ又は分裂が生じ、ベース部材と腹部コンポーネントとの間での肉質／塊の連結が不適切なものとなり、関連する肉質の表皮に沿って表面が不連続になる。この不適切な連結及び不連続な表面は腹部及び骨盤の動力学に影響を及ぼし、この衝突試験の間の衝突実験用ダミー人形の非人間的な応答、例えば、シートベルトがダミー人形の腹部と骨盤の間の間隙内に掛かる（latches）することに寄与する。
【０００６】
本開示は、従来技術のデザインに関連する分離の問題に対処及び最小化し又は克服し、それにより衝突試験の間により人間的な応答を有する衝突実験用ダミー人形を提供する。
【発明の概要】
【課題を解決するための手段】
【０００７】
本開示は擬人化試験装置の肉質のための連結デザインを提供する。
【０００８】
具体的には、擬人化試験装置は、ベース内面及び反対側のベースの外面を有し、該ベース内面が第１の空洞を画定するベース部材を含む。加えて、試験装置は、ベース部材に連結されてベース部材から延びる弾性のフランジであって、該弾性フランジはフランジ内面、反対側のフランジ外面及びフランジ周縁部を有し、該フランジは第２の空洞を画定し、該第２の空洞は前記第１の空洞から延び且つ第１の空洞に対して開いている、弾性フランジも含む。さらに、擬人化試験装置は、第１の幅を画定する第１の部分と、該第１の幅よりも大きい第２の幅を画定する第２の部分とを有する腹部コンポーネントであって、該第１の部分は第１の空洞内に収容され、第２の部分は前第２の空洞内に収容され、弾性フランジは該腹部コンポーネントの第２の部分と直接係合して、ベース部材に対して該腹部コンポーネントを弾性的に保持する、腹部コンポーネントを含む。
【０００９】
この構成では、弾性フランジは、衝突試験の間に生じ得る腹部コンポーネントとベース部材との間の分離の問題を最小限に抑えるか又は防止するのを支援する。したがって、連結された腹部コンポーネント及びベース部材を含み、弾性フランジが存在せず且つこれらの分離の問題を有する擬人化試験装置に比べて、連結された腹部コンポーネント、弾性フランジ及びベース部材は衝突試験の間により人間的な応答を提供する。加えて、連結デザインは、衝突試験の前に、連結された腹部コンポーネントのベース部材に対する初期の位置決め及び位置の維持を支援する。
【００１０】
本開示の他の特徴及び利点は、添付の図面と合わせて以下の説明を読んだ後によりよく理解されるため、容易に理解されるだろう。
【図面の簡単な説明】
【００１１】
【図１】図１は、ベース部材に連結された腹部コンポーネントであって、ベース部材に連結された弾性フランジを含む腹部コンポーネントを含む、本開示に係る擬人化試験装置の一部の一実施形態の斜視図である。
【図２】図２は、図１のベース部材から外された腹部コンポーネントの正面斜視図である。
【図３】図３は、図２の回転させた斜視図である。
【図４】図４は、線４−４に沿った図３の断面図である。
【図５】図５は、図１の断面図に対応する、図４の連結された腹部コンポーネント及びベース部材の図である。
【図６】図６は、一実施形態に係る、図４の一部の拡大図である。
【図７】図７は、別の実施形態に係る、図４の一部分の拡大図である。
【図８】図８は、仮想擬人化試験装置を作成し且つ評価するためのシステムの概略図である。
【発明を実施するための形態】
【００１２】
図１〜図７を参照して、擬人化試験装置又は衝突試験用ダミー人形の一部の実施形態を概して参照符号１０で示し、ベース部材４０に連結された腹部コンポーネント２０を含む。実施形態は、ベース部材４０に連結され、ベース部材４０から延びる弾性フランジ７０も含む。本明細書の実施形態では、腹部コンポーネント２０、ベース部材４０及び弾性フランジ７０は、衝突試験用ダミー人形１０の腹部及び骨盤領域に概ね対応する位置で衝突試験用ダミー人形１０上に配置される。特定の実施態様では、ベース部材４０は代替的に骨盤部材とも呼ばれ得る。
【００１３】
「擬人化試験装置」又は「衝突試験用ダミー人形」という用語は、本開示で互換的に用いられる。衝突試験用ダミー人形１０は、５０パーセンタイル男性型（fiftieth  percentile  male  type）であり、座位で示されている。この衝突試験用ダミー人形１０は主として前部座席及び後部座席の大人の乗員のための拘束システム及び自動車の車内の性能を試験するために用いられる。衝突試験用ダミー人形１０の大きさ及び重さは、ミシガン大学運輸研究所（ＵＭＴＲＩ）、米軍身体測定調査（ＡＮＳＵＲ）及び米国欧州民間身体計測調査資料（ＣＥＳＡＲ）により通常別々に行われる身体計測学に基づく。なお、関節可動域、重心及び各部の質量は、身体計測データにより定義される人間の被験者のものをシミュレートする。
【００１４】
以下で説明し且つ先に言及した腹部コンポーネント２０及びベース部材４０並びに弾性フランジ７０の実施形態は、主に衝突試験用ダミー人形１０の腹部及び骨盤領域におけるそれらの使用に関する。しかしながら、これらのコンポーネントの原理及び連結は、衝突試験用ダミー人形１０の様々な他の場所で任意の２つの肉質コンポーネントを互いに連結するために用いることができるため、腹部及び骨盤領域での使用だけに限定されない。しかしながら、以下での説明を簡素にするために、以下の説明では、衝突試験用ダミー人形１０の腹部及び骨盤領域でこれらのコンポーネントを用いる場合を参照する。
【００１５】
腹部コンポーネント２０は、表皮２４で覆われたインナーコア発泡体部２２を含む。腹部コンポーネント２０は、衝突試験用ダミー人形１０に構造的完全性を提供するとともに人間の腹部領域の構造及び機能をより厳密にシミュレートする(すなわち、衝突試験において腹部領域のより人間的な応答を提供する)ために支持構造１１０を含めることができるように中空状になっている。
【００１６】
腹部コンポーネント２０は上部２６を含み、上部２６は、リブケージアセンブリ（図示せず）の下と、ベース部材４０内に受容されるように構成された下部２８との間に位置するように構成されている。
【００１７】
腹部コンポーネント２０の下部２８は第１の部分３２及び第２の部分３０を含む。ここでは上部バンド領域３０として示す第２の部分３０は上部２６に隣接し、上部２６から第１の部分３０の方に延びる。第２の部分３２の外面３１は第１の部分３２と上部２６との間に画定される長さＬ１（すなわち、高さＬ１）を有する。切り欠き３７を画定する端部は横方向に延びて、第２の部分３０を上部２６に接続する。
【００１８】
第１の部分３２は、第２の部分３０から上部２６と反対の方向に延び、底部領域３４で終了する。第１の部分３２の外面３３は、第２の部分３１の外面３１に対して内方に延び、底部領域３４で終了する。底部領域３４は１つ以上の突出領域３５を含み得る。
【００１９】
図４で最良の形で示すように、腹部コンポーネント２０の第１の部分３２の最大幅Ｗ１は、第２の部分３０の最大幅Ｗ２よりも小さい。
【００２０】
第１の部分３２の最大幅Ｗ１は、腹部コンポーネント２０の第１の部分３２の外面３３間の距離測定を意味する一方、第２の部分３０の最大幅Ｗ２は、腹部部材の任意の１つの断面図に沿った腹部コンポーネント２０の第２の部分３２の外面３１間の距離測定を意味し、幅Ｗ１及びＷ２のそれぞれを画定する線は互いに平行である。腹部コンポーネントの断面図の平面を変更することにより、追加の最大幅Ｗ１及びＷ２を得ることができるのが分かるであろう。腹部コンポーネントの十分に異なる断面図が得られた場合、複数の得られた最大幅Ｗ１及びＷ２は、腹部コンポーネント２０の第１の部分３２及び第２の部分３０のそれぞれのためにそれぞれの円周を画定できる。とりわけ、腹部コンポーネント２０の第１の部分３２の最大幅Ｗ１は第２の部分３０の最大幅Ｗ２よりも小さいため、腹部コンポーネント２０の第１の部分３２の対応する円周も、第２の部分３０の対応する円周よりも小さい。
【００２１】
ベース部材４０は、腹部コンポーネント２０と同様に表皮４４で覆われたインナーコア発泡体部４２を含む。表皮４４はインナーコア発泡体部４２を包み込み得る。そのため、インナーコア発泡体部４２を含む発泡体収容空洞部４５を画定する。ベース部材４０は開いており、開口６２を画定し、内側空洞６４又は第１の空洞６４を画定するベース内面６０を含み、内面６０は腹部コンポーネント２０の第１の部分３２の形状に対応する輪郭を有する。そのため、第１の空洞６４の底部近くのベース内面６２は１つ以上の表面凹部６５を含み、１つ以上の表面凹部６５のそれぞれは、以下でさらに説明するように、腹部コンポーネント２０が第１の空洞６４内で受容された場合に１つ以上の突出領域３５の対応する１つを受容するように構成されている。
【００２２】
第１の空洞６４は、人間の脊椎の下部をシミュレートすることを意図した支持構造１１１（ここでは骨盤支持構造として示す）を含むことを可能にする。支持構造１１１は、衝突試験用ダミー人形１０に構造的完全性を提供するとともに人間の骨盤領域の構造及び機能をより厳密にシミュレートする（すなわち、衝突試験において骨盤領域のより人間的な応答を提供する）ようにも機能する。ある場合において、支持構造１１１は図１〜図３に示すように一対の大腿上部支持構造１２０としてさらなる支持構造１２０に連結され得る。
【００２３】
ベース部材４０は骨盤部材として用いられる場合、骨盤領域５０と、骨盤領域５０から延びる一対の大腿上部領域５２、５４とを含む。大腿上部領域５２、５４は、下腿部材（図示せず）を含む衝突テスト用ダミー人形１０の脚部に関連する追加の部材を受容するように構成された開口５６、５８を含み、上述したように、ベース部材４０に含まれる構造部材１１１から延びる追加の構造部材１２０を収容する。
【００２４】
衝突試験用ダミー人形１０は、ベース部材４０に連結された弾性フランジ７０も含む。図４、図６及び図７で最良の形で示すように、弾性フランジ７０はフランジ内面７２と、反対側のフランジ外面７４とを含み、ベース部材４０の反対側の弾性フランジ７０の周縁部７１はフランジ内面７２とフランジ外面７４とを接続し、フランジ内面７２は開口６２をさらに画定し、第２の空洞７９を追加で画定する。第２の空洞７９はベース部材４０の第１の空洞６４とオープン連通している。フランジ内面７２は、腹部コンポーネント２０の上部バンド領域３０の外面３１の大きさ及び形状に概ね対応する大きさ及び形状を有する。フランジ内面７２とフランジ外面７４との間で測定される弾性フランジ７０の厚さ（すなわち、周縁部７１の長さ）は、以下でさらに説明するように、弾性フランジ７０が腹部コンポーネント２０の第２の部分３０に対して弾性的に保持されるよう弾性フランジ７０に柔軟性を提供するために、概して３〜１０ｍｍ、より好ましくは３〜５ｍｍの範囲の大きさと薄い。弾性フランジ７０の厚さは切り欠き３７の横方向の長さに対応することが好ましい。
【００２５】
図４に最良の形で示すように、弾性フランジ７０は最大幅Ｗ３によって画定することもできる。弾性フランジ７０の最大幅Ｗ３、好ましくは、フランジ内面７２は、腹部コンポーネント２０の第２の部分３０が第２の空洞７９内に収容される前に画定され、それゆえ自然で未延伸状態のフランジ内面７２の最大幅を表す。図示のように、本明細書では、弾性フランジ７０の最大幅Ｗ３は腹部部材２０の第２の部分３０の最大幅Ｗ２よりも小さいが、腹部部材２０の第１の部分３２の最大幅Ｗ１よりも大きい。
【００２６】
特定の実施形態では、弾性フランジ７０はベース部材４０と一体形成されているが、代替的な実施形態では、弾性フランジ７０はベース部材４０に連結されるか、さもなければ固定又は取り付けられる別個の構造である。腹部コンポーネント２０及びベース部材４０のように、弾性フランジ７０は表皮７３を含む。しかしながら、腹部コンポーネント２０及びベース部材４０とは異なり、弾性フランジ７０は表皮７３内で収容されるインナーコア発泡体を含まない。表皮７３は、以下でさらに説明するように、所望の機能を果たすために所望の可撓性及び／又は弾性及び強度を有する単一の材料又は材料の組み合わせから作られ得る。
【００２７】
特定の実施形態では、図６で最良の形で示すように、弾性フランジ７０は、ベース部材４０の表皮４４から延びるか、さもなければ一体形成され、周縁部７１で終了する長さＬ２を有する。したがって、これらの実施形態では、表皮７３はベース部材４０の表皮４４の延長部（すなわち、一体形成されている）であり得る一方、代替的な実施形態では、表皮７３は表皮４４に連結されるか、取り付けられるか又はさもなければ固定され、それゆえに表皮４４から延びる。
【００２８】
ベース部材４０から周縁部７１までの弾性フランジ７０の長さＬ２は、腹部コンポーネント２０の第２の部分３０の長さＬ１と実質的に同様であるか又は同じであることが好ましい。さらに、図６に示すように、弾性フランジ７０の表皮７３の厚さは、表皮４４の厚さと同じであってもいいし異なっていてもよく、３〜１０ｍｍの範囲、より好ましくは３〜５ｍｍの範囲であり得る。
【００２９】
図７に示すような特定の代替的な実施形態では、弾性フランジ７０の表皮７３はループ構造７５を画定し、ループ構造７５は、外側ループ部７６、内側ループ部７８及び外側ループ部７６と内側ループ部７８を接続する遷移ループ部７７を含み、外側ループ部７６及び内側ループ部７８のそれぞれは、ベース部材４０の表皮４４に別々に連結されて延びる。図６のように、外側ループ部７６、内側ループ部７８及び遷移ループ部７７に対応する表皮７３の厚さは１．５〜１０ミリメートル、例えば３〜５ミリメートルの範囲であることが好ましい。そのため、外側ループ部７６及び内側ループ部７８の合計の厚さを含むループ構造７５の厚さは好ましくは３〜２０ミリメートル、より好ましくは３〜５ミリメートルの範囲である。ループ構造の厚さは切り欠き３７の横方向の長さに対応するか又は代替的に周縁部７１の長さに対応することが好ましい。
【００３０】
ループ構造７５は、外側ループ部７６、内側ループ部７８及び遷移ループ部７７内にあるループ空洞８０も画定する。ループ空洞８０は発泡体収容空洞４５とオープン連通しているが、インナーコア発泡体４２を含んでいない（すなわち、インナーコア発泡体４２の全体が発泡体収容空洞４５内で収容される）。
【００３１】
図１及び図５に示すように、腹部コンポーネント２０がベース部材４０に連結されている場合、腹部コンポーネント２０の第２の部分３２は、腹部コンポーネント２０の第１の部分３２の外面３３がベース内面６２と係合するよう腹部コンポーネント２０が第１の空洞６４及び第２の空洞７９内に部分的に収容されるように、開口６２内に挿入されている。加えて、腹部コンポーネント２０の第２の部分３０の外面３１は弾性フランジ７０と直接係合し且つ弾性フランジ７０により弾性的に保持される。さらに、周縁部７１又は弾性フランジ７０は切り欠き３７と当接するため、フランジ外面７４は上部２６の外面に滑らかに遷移する。
【００３２】
さらに、突出領域３５のそれぞれは、１つ以上の表面凹部６５の対応する１つ内に取り付けられる。さらに、腹部コンポーネント内に配置された構造コンポーネント１１０は、ベース部材４０の第１の空洞６４に含まれる構造コンポーネント１１に連結される。
【００３３】
腹部コンポーネント２０がベース部材４０に連結されると、第１の部分３２の最大幅Ｗ１は弾性フランジ７０の最大幅Ｗ３よりも小さいために、腹部コンポーネントの第１の部分３２は開口６２及び第２の空洞７９を通って第１の空洞６４内に自由に延びる。腹部コンポーネント２０が１つ以上の表面凹部６５に近づくと、腹部コンポーネント２０の第２の部分３０はフランジ内面７２に接触し、フランジ内面７２に力を加え始めて、表皮７３を第２の空洞７９から外方に且つフランジ外面７４の方に広げる。この力の印加により、弾性フランジ７０の幅はその最大幅Ｗ３を超え、腹部コンポーネント２０の第２の部分３０の最大幅Ｗ２よりわずかに大きい幅まで増大するため、腹部コンポーネント２０の第２の部分３０の外面３１がフランジ内面７２と直接係合するように配置された状態で、腹部コンポーネント２０の第２の部分３０が第２の空洞７９に完全に受容することができる。突出領域３５のうちの１つが１つ以上の表面凹部６５のうちの対応する１つ内に固定され且つ周縁部７１が切り欠き３７に当接するように腹部コンポーネントが完全に固定されると、表皮７３の弾性は、弾性フランジのフランジ内面７２が第２の部分３０の外面３１と直接係合するように保持する。この直接係合は、ベース部材４０を腹部コンポーネント２０と連結状態で保持するのに十分に強力である。
【００３４】
この構成では、弾性フランジ７０は、任意の衝突試験の前に好ましくはベース部材４０の空洞６４内で第２の部分３０の外面３１に対して弾性的に保持されることにより腹部コンポーネント２０の初期の位置決め及び位置決めの維持を支援する。加えて、弾性フランジ７０は、弾性フランジ７０が存在しない構成と比べた場合にその弾性保持特性により、衝突試験の間に生じ得る腹部コンポーネント２０とベース部材４０との間の分離の問題を最小限に抑えるか又は防止するのを支援する。
【００３５】
本開示は、コンピュータ１０３０に含まれるソフトウェアアプリケーションを用いて仮想擬人化試験装置を作成し、作成された擬人化試験装置を仮想衝突試験で評価するためのシステム１０００も説明する。擬人化試験装置は、上述した擬人化試験装置１０の仮想表現であり、上述した全ての特徴及びコンポーネントを含む。
【００３６】
次に図８を参照して、コンピュータ１０３０は、少なくとも１つのプロセッサ１０３２、メモリ１０３４、大容量記憶メモリデバイス１０３６、入出力インターフェース１０３８及びヒューマンマシンインターフェース１０４０を含み得る。コンピュータ１０３０は、ネットワーク１０１３及び／又は入出力インターフェース１０３８を介して１つ以上の外部リソース１０４２に連結されるように構成され得る。外部リソースは、限定されないが、サーバ、データベース、大容量記憶装置、周辺装置、クラウドベースのネットワークサービス又はコンピュータ１０３０によって使用され得る他の任意の適切なコンピューティングリソースを含み得る。
【００３７】
プロセッサ１０３２は、マイクロプロセッサ、マイクロコントローラ、デジタル信号プロセッサ、マイクロコンピュータ、中央処理装置、フィールドプログラマブルゲートアレイ、プログラマブル論理装置、状態マシン、論理回路、アナログ回路、デジタル回路又はメモリ１０３４に記憶される動作命令に基づいて信号（アナログ又はデジタル）を操作する他の任意の装置から選択される１つ以上の装置を含み得る。メモリ１０３４は、限定されないが、読出し専用メモリ（ＲＯＭ）、ランダムアクセスメモリ（ＲＡＭ）、揮発性メモリ、不揮発性メモリ、スタティックランダムアクセスメモリ（ＳＲＡＭ）、ダイナミックランダムアクセスメモリ（ＤＲＡＭ）、フラッシュメモリ、キャッシュメモリ又は情報を記憶することが可能な他の任意のデバイスを含む単一のメモリデバイス又は複数のメモリデバイスを含み得る。大容量記憶デバイス３６は、ハードドライブ、光学ドライブ、テープドライブ、不揮発性固体デバイス又は情報を記憶可能な他の任意のデバイス等のデータ記憶装置を含み得る。データベース１０４４は大容量記憶メモリデバイス１０３６上に存在してもよく、本明細書に記載の様々なシステム及びモジュールにより用いられるデータを収集及び整理するために用いられ得る。
【００３８】
プロセッサ１０３２は、メモリ１０３４内に存在するオペレーティングシステム１０４６の制御下で動作し得る。オペレーティングシステム１０４６は、メモリ１０３４内に存在するアプリケーション１０４８等の１つ以上のコンピュータソフトウェアアプリケーションとして具現化されたコンピュータプログラムコードが、プロセッサ１０３２により実行される命令を有するように、コンピュータリソースを管理し得る。代替的な実施形態では、プロセッサ１０３２はアプリケーション１０４８を直接実行し得る。その場合、オペレーティングシステム１０４６は省略され得る。１つ以上のデータ構造１０５０もメモリ１０３４内で存在してもよく、データを記憶するために又は操作するためにプロセッサ１０３２、オペレーティングシステム１０４６及び／又はアプリケーション１０４８により用いられ得る。本明細書で提供されるソフトウェアアプリケーション１０４８は、仮想擬人試験装置１０’を作成するソフトウェアアプリケーション及び作成された仮想擬人試験装置１０’を仮想衝突試験環境で評価するソフトウェアアプリケーションを含む。
【００３９】
入出力インターフェース１０３８は、プロセッサ１０３２を、ネットワーク１０１３及び／又は外部リソース１０４２等の他の装置及びシステムに動作可能に連結する機械インターフェースを提供し得る。それにより、アプリケーション１０４８は、本発明の実施形態を含む様々な特徴、機能、アプリケーション、プロセス及び／又はモジュールを提供するために、Ｉ／Ｏインターフェース１０３８を介して通信することにより、ネットワーク１０１３及び／又は外部リソース１０４２と協働し得る。アプリケーション１０４８は、１つ以上の外部リソース１０４２により実行されるプログラムコードを有してもよく、そうでなければ、コンピュータ１０３０の外部の他のシステム又はネットワークコンポーネントによって提供される機能及び／又は信号に依存し得る。実際に、ハードウェア及びソフトウェア構成がほぼ無限に可能であることを考えると、当業者であれば、本発明の実施形態は、コンピュータ１０３０の外部に位置し、複数のコンピュータ又は他の外部リソース１０４２の間で分散されたアプリケーション又はクラウドコンピューティングサービス等のネットワーク１０１３上でサービスとして提供されるコンピューティングリソース（ハードウェア及びソフトウェア）によって提供されるアプリケーションを含み得ることを理解するであろう。
【００４０】
ＨＭＩ１０４０は、コンピュータ１０３０のユーザがコンピュータ１０３０と直接やり取りできるようにするために、既知の方法でコンピュータ１０３０のプロセッサ１０３２に動作可能に連結され得る。ＨＭＩ１０４０は、ビデオ及び／又は英数字ディスプレイ、タッチスクリーン、スピーカ及びユーザに情報を提供することが可能な任意の他の好適な音声及びビジュアルインジケータを含み得るＨＭＩ１０４０は、ユーザからのコマンド又は入力を受け入れ、入力された入力をプロセッサ１０３２に送信可能な英数字キーボード、ポインティングデバイス、キーパッド、押しボタン、制御ノブ、マイクロホン等の入力装置及び制御装置も含み得る。
【００４１】
本開示は、従来技術の腹部肉質連結デザインに関連する分離の問題に対処し且つ克服し、衝突試験の間にとりわけ腹部領域に関してより人間的な応答を有する新たな肉質連結デザインを有する衝突試験用ダミー人形１０を提供する。関連するシステムは、本明細書に開示の衝突試験用ダミー人形１０が分離の問題に対処し且つ克服することを確認するために、仮想衝突試験シミュレーションを実行することを可能にする。
【００４２】
本開示を例示的に記載してきた。用いられてきた用語は限定ではなく説明の言葉の性質を有するものであることを理解すべきである。
【００４３】
本開示の多くの変更及び修正が上記の教示に照らして可能である。したがって、本開示は具体的に記載された以外の方法で実施され得る。
【図１】
2022500666.tif 000003
【図２】
2022500666.tif 000004
【図３】
2022500666.tif 000005
【図４】
2022500666.tif 000006
【図５】
2022500666.tif 000007
【図６】
2022500666.tif 000008
【図７】
2022500666.tif 000009
【図８】
2022500666.tif 000010
【国際調査報告】
2022500666.tif 000011